(57)【要約】【課題】  傷を洗浄するための第１の部分および傷の止血を行うための第２の部分を備えた単一の器具を提供することを目的とする。【解決手段】  近位の部分１４、近位の端部１５、遠位の部分１６、遠位の端部１７、および液体を貯蔵するためのリザーバ２６を備えたスティック部と１２、リザーバと流体連通されている傷を洗浄するための洗浄要素２２、および傷の止血を行うための止血要素２４を備え、遠位の部分に取り付けられた傷治療要素２０とを有する。【選択図】        図１
2005013742.tif 000002
【特許請求の範囲】
【請求項１】
近位の部分、近位の端部、遠位の部分、遠位の端部、および液体を貯蔵するためのリザーバを備えたスティック部と、
上記リザーバと流体連通されている傷を洗浄するための洗浄要素、および傷の止血を行うための止血要素を備え、上記遠位の部分に取り付けられた傷治療要素と
を有する止血用傷洗浄スワブ。
【請求項２】
スティック部と、液体を貯蔵するためのリザーバと、傷に液体を供給するための要素と、傷の止血を行うための止血要素とを有し、
上記スティック部が、近位の部分、近位の端部、遠位の部分、および遠位の端部を有し、
傷に液体を供給するための上記要素が、上記近位の部分および上記遠位の部分の一方に取り付けられていて、
上記止血要素が上記近位の部分および上記遠位の部分のもう一方に取り付けられていて、
上記リザーバが傷に液体を供給するための上記要素と流体連通されている、傷の治療に用いるためのスワブ。
【発明の詳細な説明】
【技術分野】
【０００１】
本発明は、傷を治療するためのスワブに関する。本発明のスワブは、スティック部と、傷を洗浄するための傷洗浄（傷クレンジング）部分および傷の止血を行うための止血部分を備えた傷治療要素とを有する。本発明のスワブは傷洗浄部分と流体連通した液体を貯蔵するためのリザーバを有する。液体を貯蔵するためのリザーバは壊すことができる密閉要素によって使用前は閉じられている。
【背景技術】
【０００２】
切り傷および擦り傷のような傷は感染され易い。傷を洗浄（クレンジング）して感染のリスクを減らすのが一般的な実務である。さまざまな傷洗浄溶液が市販されている。これらの溶液は例えば霧吹きによって直接傷に供給される。代わりに、ガーゼパッドまたはその類似物が傷洗浄液を供給するのに用いることができる。傷洗浄パッドも市販されている。これらの傷洗浄パッドは傷洗浄溶液が充填された柔らかいパッド側と柔らかいパッド側の反対側のある程度より粗いプラスチック側とを典型的には有する。プラスチック側は傷をデブリドマンする（傷から壊死組織や異物を切除する）ために用いられ、パッド側は傷を優しく洗浄するために用いられる。
【０００３】
傷が出血するのを止めるのが難しいことがある。そのような場合、止血剤が止血を行うために、すなわち出血を止めるために傷に供給される。さまざまな止血剤が市販されている。それらの止血剤のなかにはアルギン酸カルシウムがある。アルギン酸カルシウムは従来の粘着性包帯の傷接触パッドに組み込まれてきた。アルギン酸カルシウムは出血している傷からの血液と反応して血液を凝固させ、それによって出血を止める。止血用粘着性包帯はこれまでバンドエイド（ＢＡＮＤ−ＡＩＤ：登録商標）を商標とするクイックストップ（ＱＵＩＣＫ  ＳＴＯＰ：登録商標）粘着性包帯として市販されてきた。
【０００４】
傷洗浄用具は当業者に知られており、例えばその教示内容が本明細書で参照文献として引用される特許文献１（米国特許第３，３２４，８５５号）および特許文献２（米国特許第５，１００，０２８号）に開示されている。
【特許文献１】米国特許第３，３２４，８５５号明細書（第２−６欄、第１図）
【特許文献２】米国特許第５，１００，０２８号明細書（第３−６欄、第１図）
【発明の開示】
【発明が解決しようとする課題】
【０００５】
従来の傷洗浄用具および止血用具はそれらの意図された目的には有効であるが、傷を洗浄するためおよびその傷からの出血を止めるために別々の用具を用いるのはある程度不便である。したがって、傷を洗浄するための第１の部分および傷の止血を行うための第２の部分を備えた単一の器具が必要とされている。
【課題を解決するための手段】
【０００６】
本発明は、スティック部と、傷治療要素と、液体を貯蔵するためのリザーバとを含む止血用洗浄スワブを提供する。スティック部はスワブを使用する間にハンドルとして働く近位の部分と遠位の部分とを有する。傷治療要素はスティック部の遠位の部分に固定されていて傷洗浄要素と傷の止血を行うための要素とを有する。リザーバは傷洗浄要素と流体連通している。
【０００７】
好ましい実施の形態では、スティック部は液体を貯蔵するためのリザーバを形成する中空領域を有する。スティック部はその近位の端部で閉じられていて液密の密閉を提供している。液体を貯蔵するためのリザーバは液密の壊すことができる密閉要素によってスティック部の遠位の部分で密閉されている。本発明で考えられている、ある実施の形態では、壊すことができる密閉要素はスティック部の遠位の端部に配置されている。その場合、スティック部の中空内部がその実質的に全長に亘って液体を貯蔵するために用いることができる。必要な場合には、壊すことができる密閉要素はスティック部の遠位の端部からスティック部の近位の端部に向けてある距離だけ離れて配置されてもよい。
【０００８】
好ましくは、リザーバは傷を洗浄するための液体の洗浄組成物を貯蔵している。使用時には、壊すことができる密閉要素が破壊され、したがって液体の洗浄組成物がスワブの傷洗浄要素へ流れるようにされる。
【０００９】
好ましくは、傷洗浄要素および止血物質貯蔵要素（傷の止血を行うための要素）は互いに固定されている。その場合、薄い液体不透過性フィルムが傷洗浄要素と止血物質貯蔵要素との隣接する表面の間に配置されていてよい。この薄い液体不透過性フィルムが存在することによって、傷洗浄要素に向けて放出された液体の洗浄組成物がスワブの止血物質貯蔵要素に望ましくなく流れ込むことが防止される。
【００１０】
本発明の以下の詳細な説明および添付の図面を参照することによって本発明はより十分に理解され、さらなる利点が明らかになる。
【発明の効果】
【００１１】
本発明によれば、傷の洗浄および傷の止血を単一の器具で行える効果がある。
【発明を実施するための最良の形態】
【００１２】
添付の図面を参照すると、図１から図５は本発明の教示内容に基づく止血用洗浄スワブの好ましい実施の形態を示している。
【００１３】
止血用洗浄スワブ１０は中空のスティック部１２と傷治療要素２０とを有する。スティック部１２はほぼ長寸で近位の部分１４、近位の端部１５、遠位の部分１６、および遠位の端部１７を有する。スティック部１２の近位の部分１４はスワブの使用中にハンドルとして働く。
【００１４】
傷治療要素２０は遠位の部分１６でスティック部１２に固定されている。傷治療要素２０は傷洗浄要素２２と止血物質貯蔵要素２４とを有する。以下に記載される実施の形態では、そして図３および図４の図面に示されているように、傷洗浄要素２２は涙の珠状の形状を有しスティック部１２の遠位の端部１７を覆って取り付けられていて遠位の部分１６の上側部分まで下向きに続いている。傷洗浄要素２２は摩擦係合によってスティック部１２の外側面に固定されていてよく、代わりに、その目的のために接着剤（図示されていない。）が用いられてもよい。
【００１５】
さらに図３および図４に示されているように、止血物質貯蔵要素２４は傷洗浄要素２２の片側の外側面に固定されている。好ましくは液体不透過性フィルム３２からなる薄い層の形態の液体不透過性材料が傷洗浄要素２２と止血物質貯蔵要素２４の隣接する表面の間に配置されている。液体不透過性フィルム３２が存在することによって使用中に傷洗浄要素２２へ向けて放出された液体が止血物質貯蔵要素２４内に望ましくなく流入するのが防止される。液体不透過性フィルム３２は傷洗浄要素２２から止血物質貯蔵要素２４へ液体が流れ込むのを禁止する必要がない場合には用いられなくてよい。止血物質貯蔵要素２４を液体不透過性フィルム３２に固定し液体不透過性フィルム３２を傷洗浄要素２２に固定するために接着剤を用いることができることは当業者には明らかである。代わりに、液体不透過性フィルム３２は止血物質貯蔵要素２４に熱融着され、次にその熱融着された積層体（液体不透過性フィルム３２および止血物質貯蔵要素２４）が傷洗浄要素２２に固定されてもよい。必要な場合には、止血物質貯蔵要素２４は図６に示されているようにスティック部１２の近位の部分１４に取り付けられることが理解される。
【００１６】
スティック部１２の中空内部は液体の組成物２７を貯蔵するためのリザーバ２６を画定している。スティック部１２の近位の端部１５は液密の密閉要素を形成するように密閉されている。リザーバ２６は壊すことができる密閉要素２８によって完成されている。好ましくは、壊すことができる密閉要素２８はスティック部１２の遠位の端部１７に設けられている。壊すことができる密閉要素２８はスワブを使用する前は液密であることが理解される。さらに、壊すことができる密閉要素２８はスティック部１２の近位の端部１５の密閉要素よりも弱くなければならないことが認識される。したがって、スティック部１２が例えば指によって図３の矢印で示された位置で搾られるなどして操作されると、壊すことができる密閉要素２８が破壊され近位の端部１５の密閉要素はそのままの状態で残される。壊すことができる密閉要素２８が破壊されると、リザーバ２６内の液体が傷洗浄要素２２内に流れ込む。
【００１７】
スティック部１２がプラスチック材料で作られている場合、プラスチック材料はスティック部１２の遠位の端部１７で最初に薄くされてから次に密閉されて、壊すことができる密閉要素２８が形成される。
【００１８】
壊すことができる密閉要素２８がスティック部１２の遠位の端部１７からスティック部１２の近位の端部１５に向けてある距離だけ下向に離れて配置される場合には、そのように配置された壊すことができる密閉要素２８と遠位の端部１７との間のスティック部１２の部分は壊すことができる密閉要素２８が使用時に破壊されたときにリザーバ２６と傷洗浄要素２２との間に液体の連通が形成されるように図５に示すように中空でなければならない。
【００１９】
本発明で用いるのに適したスティック部は当業者には知られていて、例えばその開示内容が本明細書で参照文献として引用される米国特許第５，１００，０２８号明細書に記載されている。スティック部１２は以下に限定されないがポリエチレン、およびポリプロピレン、およびそれらの類似物などのプラスチック、および紙などを含む任意の適切な材料で作られていてよい。スティック部１２の寸法は特に重要というわけではない。液体のリザーバ２６の寸法は傷を洗浄するためまたは治療するために十分な量の液体を保持するのに十分な大きさである。
【００２０】
壊すことができる密閉要素は当業者に知られている。適切な壊すことができる要素はシリコーン材料、蝋、薄い高分子フィルム、およびそれらの類似物で作られていてよい。使用者が液体をパッドに流し込みたい場合、スティック部１２が使用者の指で搾られる。十分な力がスティック部１２を搾ることによって生み出されると、壊すことができる密閉要素が破壊されて、液体が傷洗浄要素に流れ込むようになる。
【００２１】
液体リザーバ内で用いるのに適した液体には以下に限定されないが傷洗浄溶液、防腐剤溶液、麻酔剤溶液、抗生物質溶液、抗炎症剤溶液、それらの混合物、またはそれらの類似物などがある。
【００２２】
傷洗浄要素２２に適した基層材料には、織布、不織布、ガーゼ、発泡体、海綿体、およびそれらの類似物などがある。傷洗浄要素２２の寸法は特に重要というわけではないが、傷を有効に洗浄するための十分な大きさでなければならない。
【００２３】
止血物質貯蔵要素２４に適した基層材料には、織布、不織布、ガーゼ、発泡体、海綿体、およびそれらの類似物などがある。止血物質貯蔵要素２４は止血剤を含んでいる。アルギン酸塩は有効な止血剤である。適切なアルギン酸塩には、以下に限定されないが、アルギン酸ナトリウム、アルギン酸カルシウム、アルギン酸カリウム、アルギン酸アンモニウムなどがある。その他の止血物質には、以下に限定されないが、コラーゲン、フィブリン、トロンビン、ポテトスターチ、塩基性没食子酸ビスマス、次亜塩素酸ナトリウム、キトサン、および、繊維状形態の酸化セルロースを含む酸化セルロースなどがある。止血剤は止血物質貯蔵要素に用いられている基層材料にコーティング、散布、または含浸されていてよい。さらに、止血物質が繊維の形態で形成されて次に止血物質貯蔵要素の基層材料内に組み込まれてもよい。
【００２４】
液体不透過性フィルム３２に適した材料には、ポリエチレンおよびポリプロピレンのようなポリオレフィン；ポリ酢酸ビニル；およびそれらの類似物などがある。傷洗浄要素は空気による引き入れ（air entanglement）、接着剤、超音波溶接、熱融着、およびそれらに類似した手段など手段によって止血物質貯蔵要素に結合されていてよい。遮断フィルム（液体不透過性フィルム）が用いられる場合、接着剤がその遮断フィルムにコーティングされて、次に傷洗浄要素および止血物質貯蔵要素が接着剤がコーティングされた遮断フィルムに固定されてよい。
【００２５】
以下に記載される実施例は本発明の特性および本発明を実施する方法をさらに例示している。しかし、本発明は以下の細部に限定されるとみなされてはならない。
【実施例】
【００２６】
プュリタン（Ｐｕｒｉｔａｎ）を商標とする自動縫合スワブ（プュリタン・メディカル・プロダクツ・カンパニー（Puritan Medical Products Company）のアイテムＮｏ．４６２０）が購入された。そのスワブは１１．４３ｃｍ（４．５インチ）の長さでポプュレ（popule）タイプのシャフトおよび発泡体の先端を有していた。ポピュレタイプのシャフトは防腐剤としての７０％イソプロピルアルコールで満たされた。
【００２７】
ジョンソン・アンド・ジョンソン（Johnson & Johnson）を商標とするファースト・エイド・アドバンスト・ケア・クイック・ストップ・ガーゼ・パッド（First Aid Advanced Care Quick Stop Guaze Pad：止血物質としてアルギン酸カルシウムの繊維を含んでいる。）がスワブの発泡体の先端と同じ寸法および形状に切断された。
【００２８】
切断されたガーゼ・パッドがガーゼ・パッドの裏面（滑らかな側面）が発泡体の先端に接着されて止血物質の繊維が露出されるように両面テープを用いてスワブの先端に取り付けられた。スワブのシャフトが搾られたとき、イソプロピルアルコールがスワブの発泡体の先端部分に流し込まれて傷を洗浄するのに用いられた。アルギン酸の繊維のガーゼ・パッドが傷からの出血を止めるのに用いられた。
【００２９】
この発明の具体的な実施態様は以下の通りである。
（１）スティック部が中空であり、
リザーバが、上記スティック部の実質的に近位の端部に配置された液密の密閉要素と上記スティック部の遠位の部分に配置された液密の壊すことができる密閉要素とによって形成されている、請求項１記載の止血用傷洗浄スワブ。
（２）壊すことができる密閉要素がスティック部の実質的に遠位の端部に配置されている、上記実施態様（１）記載の止血用傷洗浄スワブ。
（３）壊すことができる密閉要素がスティック部の遠位の端部から下向きに離れて配置されていて、
上記スティック部は上記壊すことができる密閉要素と上記スティック部の上記遠位の端部との間の領域が中空である、上記実施態様（１）記載の止血用傷洗浄スワブ。
（４）リザーバが液体を貯蔵し、
上記液体が、傷洗浄溶液、防腐剤溶液、麻酔剤溶液、抗生物質溶液、抗炎症剤溶液、およびそれらの混合物からなる集合から選択される、請求項１記載の止血用傷洗浄スワブ。
（５）液体が傷洗浄溶液である、上記実施態様（４）記載の止血用傷洗浄スワブ。
【００３０】
（６）止血要素が、基層材料および止血剤を有する、請求項１記載の止血用傷洗浄スワブ。
（７）基層材料が、織布、不織布、ガーゼ、発泡体、および海綿体からなる集合から選択される、上記実施態様（６）記載の止血用傷洗浄スワブ。
（８）基層材料が発泡体である、上記実施態様（７）記載の止血用傷洗浄スワブ。
（９）止血要素に含まれる止血物質が、アルギン酸塩、コラーゲン、繊維、フィブリン、トロンビン、ポテトスターチ、塩基性没食子酸ビスマス、次亜塩素酸ナトリウム、酸化セルロース、およびキトサンからなる集合から選択される、請求項１記載の止血用傷洗浄スワブ。
（１０）止血物質がアルギン酸塩である、上記実施態様（９）記載の止血用傷洗浄スワブ。
【００３１】
（１１）止血物質が酸化セルロースの繊維である、上記実施態様（９）記載の止血用傷洗浄スワブ。
（１２）液体不透過性フィルムが傷洗浄要素および止血要素の間に配置されている、上記実施態様（９）記載の止血用傷洗浄スワブ。
（１３）リザーバが傷に供給するための液体を貯蔵している、請求項１記載の止血用傷洗浄スワブ。
【図面の簡単な説明】
【００３２】
【図１】本発明の教示内容に基づく止血用洗浄スワブの好ましい実施の形態の斜視図である。
【図２】図１のスワブのいくつかの部分が切り欠きされた正面図である。
【図３】図１のスワブのいくつかの部分が切り欠きされ他の部分が断面で示された側面図である。
【図４】図３の円内の部分の拡大断面図である。
【図５】スワブの一部分の大きく拡大された断面図である。
【図６】本発明に基づくスワブの第２の実施の形態の斜視図である。
【符号の説明】
【００３３】
１０  止血用洗浄スワブ
１２  スティック部
１４  近位の部分
１５  近位の端部
１６  遠位の部分
１７  遠位の端部
２０  傷治療要素
２２  傷洗浄要素
２４  止血物質貯蔵要素
２６  リザーバ
２７  液体の組成物
２８  壊すことができる密閉要素
３２  液体不透過性フィルム
【図１】
2005013742.tif 000003
【図２】
2005013742.tif 000004
【図３】
2005013742.tif 000005
【図４】
2005013742.tif 000006
【図５】
2005013742.tif 000007
【図６】
2005013742.tif 000008
【外国語明細書】
2005013742000001.pdf